【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
命令セットを実行するよう動作可能なプロセッサと、
前記命令セットを格納したメモリと、
を有する装置であって、
前記命令セットは、前記プロセッサにより実行されると、
複数のレース参加者を有するレースイベントの１以上のレース参加者の決定を受け付けるステップと、
前記レースイベント内の複数の中間ポイントの少なくとも１つに対して、前記中間ポイントにおけるレース参加者の１以上の予想されるポジションを決定するステップと、
少なくとも１つの賭けコンポーネントが前記１以上のレース参加者と前記レース参加者の１以上の予想されるポジションとによって少なくとも部分的に規定される複数の賭けコンポーネントから構成される賭けを生成するステップと、
前記レースイベント内の複数の中間ポイントの少なくとも１つに対して、該中間ポイントにおける前記１以上の決定されたレース参加者の少なくとも１つの実際のポジションを特定する中間レース結果を受け付けるステップと、
前記少なくとも１つの賭けコンポーネントに対して、前記１以上のレース参加者、前記レース参加者の１以上の予想されるポジション、及び前記中間ポイントの少なくとも１つに対する前記受け付けた中間レース結果に少なくとも部分的に基づき、前記賭けコンポーネントに対する結果を決定するステップと、
を有する方法を前記プロセッサに実行させる装置。
【請求項２】
前記賭けコンポーネントに対する結果を決定するステップは、前記賭けコンポーネントが当選した賭けコンポーネントであるか否か決定することから構成され、
前記方法はさらに、前記賭けコンポーネントが当選した賭けコンポーネントであると決定された場合、前記当選した賭けコンポーネントに対するパリミューチュアル払戻を決定するステップを有する、請求項１記載の装置。
【請求項３】
前記賭けは係る賭け金を有し、
前記方法はさらに、前記複数の賭けコンポーネントの１以上に前記賭け金を割り当てるステップを有する、請求項１記載の装置。
【請求項４】
前記プロセッサは、前記レースイベント内の前記少なくとも１つの中間ポイントに配置された少なくとも１つの記録装置に通信接続され、
前記少なくとも１つの記録装置は、前記少なくとも１つの中間ポイントにおける前記１以上のレース参加者の少なくも１つの実際の位置を記録するよう動作可能である、請求項１記載の装置。
【請求項５】
前記複数の賭けコンポーネントの１以上に前記賭け金を割り当てるステップは、顧客から受け付けた入力に少なくとも部分的に基づく金額により、前記１以上の賭けコンポーネントに前記賭け金を割り当てることから構成される、請求項３記載の装置。
【請求項６】
前記レースイベントは、第１のトラック場で行われ、
前記賭けは係る賭け金を有し、
前記賭け金は、前記第１のトラック場と地理的に異なる賭けをする場所により維持されるパリミューチュアルプールに割り当てられる、請求項１記載の装置。
【請求項７】
前記１以上の賭けコンポーネントのそれぞれは、前記複数の中間ポイントの１つに対応し、
前記賭けコンポーネントに対する結果を決定するステップは、該賭けコンポーネントに対応する中間ポイントに対する前記受け付けた中間レース結果に少なくとも部分的に基づき、前記１以上の決定されたレース参加者が該中間ポイントに対して決定された１以上の可能性にあるポジションに存在したか否か決定することから構成される、請求項１記載の装置。
【請求項８】
前記レースイベントの１以上のレース参加者の決定を受け付けるステップは、前記レースイベントの３つのレース参加者の決定を受け付けることから構成され、
前記中間ポイントにおけるレース参加者の１以上の予想されるポジションを決定するステップは、レース参加者の３つの予想されるポジションを決定することから構成され、
前記賭けコンポーネントの少なくとも１つは、前記３つの決定されたレース参加者と対応する中間ポイントに対して決定されたレース参加者の１以上の予想されるポジションとに少なくとも部分的によって規定され、
前記中間レース結果を受け付けるステップは、前記対応する中間ポイントにおける３つの決定されたレース参加者の実際のポジションを特定する中間レース結果を受け付けることから構成され、
前記賭けコンポーネントに対する結果を決定するステップは、前記３つの決定されたレース参加者、前記対応する中間ポイントに対して決定されたレース参加者の１以上の予想される結果、及び前記対応する中間ポイントに対する受け付けた中間レース結果に少なくとも部分的に基づき、前記少なくとも１つの賭けコンポーネントの結果を決定することから構成される、請求項１記載の装置。
【請求項９】
前記１以上のレース参加者は、１以上の以前のレースイベントの結果に基づき自動的に決定される、請求項１記載の装置。
【請求項１０】
複数の他の賭けが１以上の顧客から受付され、
前記複数の他の賭けのそれぞれは、前記複数のレース参加者のそれぞれが係る合計の賭け金を有するように、前記複数のレース参加者の１以上の係るレース参加者と前記係る賭け金とを有し、
前記賭けに対する１以上のレース参加者は、前記複数のレース参加者のそれぞれに係る前記他の賭けの個数と、前記複数のレース参加者のそれぞれに係る合計の賭け金との少なくとも１つに少なくとも部分的に基づき決定される、請求項１記載の装置。
【請求項１１】
前記賭けに対する１以上のレース参加者は、前記賭けに対する潜在的な払戻が最大化されるように決定される、請求項１０記載の装置。
【請求項１２】
前記複数の中間ポイントの少なくとも１つに対するレース参加者の１以上の予想されるポジションの少なくとも１つが、ランダムに決定される、請求項１記載の装置。
【請求項１３】
前記複数の中間ポイントの少なくとも１つに対するレース参加者の１以上の予想されるポジションの少なくとも１つが、顧客により選択される、請求項１記載の装置。
【請求項１４】
前記複数の中間ポイントの少なくとも１つに対するレース参加者の１以上の予想されるポジションの少なくとも１つが、賭け提供エンティティによって自動的に決定される、請求項１記載の装置。
【請求項１５】
前記複数の賭けコンポーネントは、前記１以上の決定されたレース参加者と、前記中間ポイントの２以上に対して決定されたレース参加者の１以上の予想されるポジションとに少なくとも部分的に規定された複数ポイント賭けコンポーネントを有し、
当該方法はさらに、前記１以上の決定されたレース参加者、前記２以上の中間ポイントに対して決定されたレース参加者の１以上の予想されるポジション、及び前記２以上の中間ポイントのそれぞれに対して受け付けた中間レース結果に少なくとも部分的に基づき、前記複数ポイント賭けコンポーネントに対する結果を決定するステップを有する、請求項１記載の装置。
【請求項１６】
前記複数ポイント賭けコンポーネントに対する結果を決定するステップは、前記２以上の中間ポイントのそれぞれに対して、前記１以上の決定されたレース参加者の少なくとも１つが、前記中間ポイントに対する受け付けた中間レース結果に少なくとも部分的に基づき、前記中間ポイントに対して決定された１以上の予想されるポジションの何れかに位置していたか否か決定することから構成される、請求項１５記載の装置。
【請求項１７】
前記複数ポイント賭けコンポーネントに対する結果を決定するステップは、前記１以上の中間ポイントに対する受け付けた中間レース結果に少なくとも部分的に基づき、前記１以上の決定されたレース参加者が、前記２以上の中間ポイントのそれぞれに対して決定された１以上の予想されるポジションのすべてに位置していたか否か決定することから構成される、請求項１５記載の装置。
【請求項１８】
前記方法はさらに、
複数の予想されるポジションから、前記レースイベントのゴールポイントにおけるレース参加者の１以上の予想されるポジションを決定するステップと、
前記レースイベントのゴールポイントにおける前記１以上の決定されたレース参加者の少なくとも１つの実際のポジションを特定するゴールポイントのレース結果を受け付けるステップと、を有し、
前記複数ポイント賭けコンポーネントは、前記１以上の決定されたレース参加者と、前記レースイベントの前記複数の中間ポイントのそれぞれ及びゴールポイントに対して決定されたレース参加者の１以上の予想されるポジションとに少なくとも部分的により規定される、請求項１５記載の装置。
【請求項１９】
前記中間ポイントにおけるレース参加者の１以上の予想されるポジションを決定するステップは、
前記中間ポイントの第１中間ポイントに対してレース参加者の１以上の第１の予想されるポジションを決定するステップと、
前記中間ポイントの第２中間ポイントに対してレース参加者の１以上の第２の予想されるポジションを決定するステップと、
から構成され、
前記複数の賭けコンポーネントから構成される賭けを生成するステップは、
前記１以上の決定されたレース参加者と、前記第１中間ポイントに対して決定されたレース参加者の１以上の予想されるポジションとに少なくとも部分的によって規定される第１賭けコンポーネントを生成するステップと、
前記１以上の決定されたレース参加者と、前記第２中間ポイントに対して決定されたレース参加者の１以上の予想されるポジションとに少なくとも部分的によって規定される第２賭けコンポーネントを生成するステップと、
から構成され、
前記少なくとも１つの中間ポイントに対する中間レース結果を受け付けるステップは、
前記中間ポイントの第１中間ポイントに関する第１中間レース結果であって、前記第１中間ポイントにおける前記決定されたレース参加者の少なくとも１つの実際のポジションを特定する第１中間レース結果を受け付けるステップと、
前記中間ポイントの第１中間ポイントに関する第２中間レース結果であって、前記第２中間ポイントにおける前記決定されたレース参加者の少なくとも１つの実際のポジションを特定する第２中間レース結果を受け付けるステップと、
から構成される、請求項１記載の装置。
【請求項２０】
前記賭けコンポーネントに対する結果を決定するステップは、
前記１以上の決定されたレース参加者、前記第１中間ポイントに対して決定されたレース参加者の１以上の予想されるポジション、及び前記第１中間ポイントに対する受け付けた中間レース結果に少なくとも部分的に基づき、前記第１賭けコンポーネントに対する結果を決定するステップと、
前記１以上の決定されたレース参加者、前記第２中間ポイントに対して決定されたレース参加者の１以上の予想されるポジション、及び前記第２中間ポイントに対する受け付けた中間レース結果に少なくとも部分的に基づき、前記第２賭けコンポーネントに対する結果を決定するステップと、
から構成される、請求項１９記載の装置。
【請求項２１】
前記第１賭けコンポーネントに対する結果を決定するステップは、前記第１中間ポイントに対する受け付けた中間レース結果に少なくとも部分的に基づき、前記１以上の決定されたレース参加者が、前記第１中間ポイントに対して決定された１以上の予想されるポジションに位置していたか否か決定することから構成され、
前記第２賭けコンポーネントに対する結果を決定するステップは、前記第２中間ポイントに対する受け付けた中間レース結果に少なくとも部分的に基づき、前記１以上の決定されたレース参加者が、前記第２中間ポイントに対して決定された１以上の予想されるポジションに位置していたか否か決定することから構成される、請求項２０記載の装置。
【請求項２２】
前記賭けを生成するステップは、
賭けマトリックスの各列が前記レースイベントの中間ポイントの１つに対応する、第１方向に延びる複数の列と、第２方向に延びる複数の行とを有するマトリックスを提供するステップと、
前記賭けマトリックスの前記複数の列の少なくとも１つに対して、１つの数が前記列と交差する各行に存在するように、前記列に対応する中間ポイントに対して決定される１以上の予想されるポジションを特定する数により前記列を占有させるステップと、
を有し、
前記賭けコンポーネントの少なくとも１つは、前記１以上の決定されたレース参加者と、前記賭けマトリックスの１以上の列の中の数の配置の少なくとも１つによって少なくとも部分的に規定される、賭けマトリックスを生成することから構成される、請求項１記載の装置。
【請求項２３】
前記賭けコンポーネントに対する結果を決定するステップは、賭けコンポーネントは、前記賭けマトリックスが該賭けマトリックスのある方向にある個数の連続的に並ぶマッチしたエントリを有する場合に、当選した賭けコンポーネントであると決定することから構成される、請求項２２記載の装置。
【請求項２４】
マッチしたエントリの個数は、前記１以上の決定されたレース参加者の個数に等しい、請求項２３記載の装置。
【請求項２５】
マッチしたエントリの個数は、顧客により選択される、請求項２３記載の装置。
【請求項２６】
マッチしたエントリの個数は、ランダムに決定される、請求項２３記載の装置。
【請求項２７】
前記少なくとも１つの賭けコンポーネントは、ジャックポット賭けコンポーネントから構成される、請求項１記載の装置。
【請求項２８】
前記ジャックポット賭けコンポーネントを含む複数の顧客に係る複数のジャックポット賭けコンポーネントが、前記レースイベントに係り、
各ジャックポット賭けコンポーネントは、ジャックポット賭け金にかかり、
前記方法はさらに、
前記複数のジャックポット賭けコンポーネントの少なくとも１つが当選した賭けであるか否か決定するステップと、
前記複数のジャックポット賭けコンポーネントの何れも当選した賭けでないと決定されると、少なくとも１つの当選したジャックポット賭けコンポーネントが決定されるまで、前記複数のジャックポット賭けコンポーネントに係るジャックポット賭け金を１以上の以降のレースイベントにキャリーオーバーするステップと、
を有する、請求項２７記載の装置。
【請求項２９】
命令セットを実行するよう動作可能なプロセッサと、
前記命令セットを格納したメモリと、
を有する装置であって、
前記命令セットは、前記プロセッサにより実行されると、
複数のレース参加者を有するレースイベントにおける１以上のレース参加者の決定を受け付けるステップと、
賭けマトリックスの少なくとも１つの列がレースイベントの複数の中間ポイントの１つに対応する、第１方向に延びる複数の列と、第２方向に延びる複数の行とを有するマトリックスを提供するステップと、前記レースイベント内の少なくとも１つの中間ポイントに対して、該中間ポイントにおけるレース参加者の１以上の予想されるポジションを決定するステップと、前記賭けマトリックスの前記複数の列の少なくとも１つに対して、該列に対応する中間ポイントに対して決定される前記１以上の予想されるポジションを特定する数により前記列を占有させるステップとから構成される、賭けマトリックスを生成するステップと、
当該賭けコンポーネントの少なくとも１つが、少なくとも部分的に前記１以上のレース参加者と前記賭けマトリックスの１以上の列の中の数の配置の少なくとも１つにより規定される１以上の賭けコンポーネントを有する、前記賭けマトリックスに係る賭けを提供するステップと、
を有する方法を前記プロセッサに実行させる装置。
【請求項３０】
前記方法はさらに、
賭けコンポーネントが当選した賭けコンポーネントであるか否か決定するステップと、
前記賭けコンポーネントが当選した賭けコンポーネントであると決定されると、前記賭けコンポーネントに対するパリミューチュアル払戻を決定するステップと、を有する請求項２９記載の装置。
【請求項３１】
前記方法はさらに、
前記レースイベント内の少なくとも１つの中間ポイントに対して、該中間ポイントに対して決定された前記１以上の予想されるポジションの少なくとも１つにより前記中間ポイントに実際に位置していたレース参加者を特定する中間レース結果を受け付けるステップと、
前記１以上の決定されたレース参加者、前記賭けマトリックスの１以上の列の中の数の配置、及び前記中間ポイントの少なくとも１つに対する受け付けた中間レース結果の少なくとも１つに少なくとも部分的に基づき、前記少なくとも１つの賭けコンポーネントに対する結果を決定するステップと、
を有する、請求項２９記載の装置。
【請求項３２】
前記賭けマトリックスにおける列と行の交差部分における数は、マトリックスエントリから構成され、
前記方法はさらに、
前記レースイベント内の少なくとも１つの中間ポイントに対して、該中間ポイントに対して決定された前記１以上の予想されるポジションの少なくとも１つにより前記中間ポイントにおいて実際に位置していたレース参加者を特定する中間レース結果を受け付けるステップと、
前記賭けマトリックスの列及び行の交差部分における少なくとも１つのマトリックスエントリに対して、前記受け付けた中間レース結果に少なくとも部分的に基づき、前記レース参加者の１つが前記マトリックスエントリの数によって特定される前記予想されるポジションにより実際に位置していたか決定することによって、前記マトリックスエントリがマッチしたエントリであるか決定するステップと、
前記賭けマトリックスに係るマッチしたエントリの少なくとも一部の相対的な位置に少なくとも部分的に基づき、少なくとも１つの賭けコンポーネントに対する結果を決定するステップと、
を有する、請求項２９記載の装置。
【請求項３３】
前記賭けマトリックスに係るマッチしたエントリの少なくとも一部の相対的な位置に少なくとも部分的に基づき、少なくとも１つの賭けコンポーネントに対する結果を決定するステップは、前記賭けマトリックスが該賭けマトリックスにおいてある方向に連続的に並ぶいくつかのマッチしたエントリを含む場合、賭けコンポーネントが当選した賭けコンポーネントであると決定することから構成される、請求項３２記載の装置。
【請求項３４】
マッチしたエントリの個数は、前記１以上の決定されたレース参加者の個数に等しい、請求項３３記載の装置。
【請求項３５】
マッチしたエントリの個数は、顧客により選択される、請求項３３記載の装置。
【請求項３６】
マッチしたエントリの個数は、ランダムに決定される、請求項３３記載の装置。
【請求項３７】
前記方法はさらに、
前記賭けコンポーネントのそれぞれに対する結果を決定するステップと、
前記マッチしたエントリの個数に少なくとも部分的に基づき、賭けコンポーネントに対する払戻を決定するステップと、
を有する、請求項３３記載の装置。
【請求項３８】
前記賭けマトリックスに係るマッチしたエントリの少なくとも一部の相対的な位置に少なくとも部分的に基づき、少なくとも１つの賭けコンポーネントに対する結果を決定するステップは、前記賭けマトリックスが該賭けマトリックスの前記列の１つに連続的に並ぶいくつかのマッチしたエントリを含む場合、賭けコンポーネントが当選した賭けコンポーネントであると決定することから構成される、請求項３２記載の装置。
【請求項３９】
前記賭けマトリックスに係るマッチしたエントリの少なくとも一部の相対的な位置に少なくとも部分的に基づき、少なくとも１つの賭けコンポーネントに対する結果を決定するステップは、前記賭けマトリックスが該賭けマトリックスの前記行の１つに連続的に並ぶいくつかのマッチしたエントリを含む場合、賭けコンポーネントが当選した賭けコンポーネントであると決定することから構成される、請求項３２記載の装置。
【請求項４０】
前記賭けマトリックスに係るマッチしたエントリの少なくとも一部の相対的な位置に少なくとも部分的に基づき、少なくとも１つの賭けコンポーネントに対する結果を決定するステップは、前記賭けマトリックスがある列数の列とある行数の行にわたって延びる対角線方向に連続的に並ぶいくつかのマッチしたエントリを含む場合、賭けコンポーネントが当選した賭けコンポーネントであると決定することから構成される、請求項３２記載の装置。
【請求項４１】
前記賭けマトリックスに係るマッチしたエントリの少なくとも一部の相対的な位置に少なくとも部分的に基づき、少なくとも１つの賭けコンポーネントに対する結果を決定するステップは、前記賭けマトリックスが、該賭けマトリックスの前記列の１つに連続的に並ぶいくつかのマッチしたエントリと、該賭けマトリックスの前記行の１つに連続的に並ぶいくつかのマッチしたエントリと、該賭けマトリックスのある列数の列とある行数の行にわたって延びる対角線方向に連続的に並ぶいくつかのマッチしたエントリとの少なくとも１つを含む場合、賭けコンポーネントが当選した賭けコンポーネントであると決定することから構成される、請求項３２記載の装置。
【請求項４２】
前記賭けマトリックスを生成するステップは、
前記レースイベントのゴールポイントに対応する列をさらに有するマトリックスを提供するステップと、
前記レースイベントのゴールポイントに対して、該ゴールポイントにおけるレース参加者の１以上の予想されるポジションを決定するステップと、
前記レースイベントのゴールポイントに対して決定された前記１以上の予想されるポジションを特定する数によって、前記ゴールポイントに対応する列を占有させるステップと、
をさらに有する、請求項２９記載の装置。
【請求項４３】
前記レースイベントのゴールポイントに対して、該ゴールポイントにおけるレース参加者の１以上の予想されるポジションを決定するステップは、１以上のポジションを連続的な数字の順に決定することから構成され、
前記ゴールポイントに対応する列を占有させるステップは、連続的な数字の順による前記１以上の数によって前記列を占有させることから構成される、請求項４２記載の装置。
【請求項４４】
前記賭けマトリックスの列及び行の交差部分における数が、マトリックスエントリを構成し、
前記方法はさらに、
前記レースイベント内の少なくとも１つの中間ポイントに対して、該中間ポイントに対して決定された１以上の予想されるポジションの少なくとも１つにより前記中間ポイントに実際に位置していたレース参加者を特定する中間レース結果を受け付けるステップと、
前記レースイベントのゴールポイントに対して、該ゴールポイントに対して決定された１以上の予想されるポジションの少なくとも１つにより前記ゴールポイントに実際に位置していたレース参加者を特定するゴールレース結果を受け付けるステップと、
前記賭けマトリックスの列及び行の交差部分における少なくとも１つのマトリックスエントリに対して、前記受け付けた中間レース結果とゴールレース結果に少なくとも部分的に基づき、前記レース参加者の１つが、前記列に対応する前記中間ポイント又はゴールポイントにおいて前記マトリックスエントリの数によって特定される前記予想されるポジションにより実際に位置していたか否か決定することによって、前記マトリックスエントリがマッチしたエントリであるか否か決定するステップと、
前記賭けマトリックスに係るマッチしたエントリの少なくとも一部の相対的な位置に少なくとも部分的に基づき、前記少なくとも１つの賭けコンポーネントに対する結果を決定するステップと、
を有する、請求項４２記載の装置。
【請求項４５】
前記賭けマトリックスに係る賭けは、係る賭け金を有し、
前記方法はさらに、前記複数の賭けコンポーネントの１以上に前記賭け金を割り当てるステップを有する、請求項２９記載の装置。
【請求項４６】
前記複数の賭けコンポーネントの１以上に前記賭け金を割り当てるステップは、顧客から受け付けた入力に少なくとも部分的に基づく金額により前記１以上の賭けコンポーネントに前記賭け金を割り当てることから構成される、請求項４４記載の装置。
【請求項４７】
前記レースイベントは、第１のトラック場で行われ、
前記賭けは係る賭け金を有し、
前記賭け金は、前記第１のトラック場と地理的に異なる賭けをする場所によって維持されるパリミューチュアルプールに割り当てられる、請求項２８記載の装置。
【請求項４８】
前記１以上のレース参加者が、ランダムに決定される、請求項２７記載の装置。
【請求項４９】
複数の他の賭けが、１以上の顧客から受付され、
前記複数の他の賭けのそれぞれは、前記複数のレース参加者のそれぞれが係る合計の賭け金を有するように、係る賭け金と前記複数のレース参加者の１以上の係るレース参加者とを有し、
前記賭けに対する１以上のレース参加者は、前記複数のレース参加者のそれぞれに係る前記他の賭けの個数と、前記複数のレース参加者のそれぞれに係る合計の賭け金との少なくとも１つに少なくとも部分的に基づき決定される、請求項２７記載の装置。
【請求項５０】
前記賭けに対する１以上のレース参加者は、前記賭けに対する潜在的な払戻が最大化されるように決定される、請求項４９記載の装置。
【請求項５１】
前記複数の中間ポイントの少なくとも１つに対するレース参加者の１以上の予想されるポジションの少なくとも１つは、ランダムに決定される、請求項２７記載の装置。
【請求項５２】
前記複数の中間ポイントの少なくとも１つに対するレース参加者の１以上の予想されるポジションの少なくとも１つは、顧客によって選択される、請求項２７記載の装置。
【請求項５３】
前記複数の中間ポイントの少なくとも１つに対するレース参加者の１以上の予想されるポジションの少なくとも１つは、賭け提供エンティティによって自動的に決定される、請求項２７記載の装置。
【請求項５４】
前記賭けマトリックスを生成するステップは、各々が複数のレースイベントの１つに対応する複数のマトリックスを提供することから構成され、
前記複数のマトリックスのそれぞれは、前記複数の第１方向に延びる複数の列と第２方向に延びる複数の行とを有し、
各マトリックスの少なくとも１つの列は、該マトリックスに対応する前記レースイベントの複数の中間ポイントの１つに対応し、
賭けコンポーネントは、少なくとも部分的に前記１以上のレース参加者と、前記複数のマトリックスの２以上の中の数の配置との少なくとも１つによって規定される、請求項３０記載の装置。
【請求項５５】
前記複数のマトリックスのそれぞれの列及び行の交差部分における数は、マトリックスエントリから構成され、
前記方法はさらに、
前記複数のマトリックスのそれぞれにおける少なくとも１つのマトリックスエントリが、マッチしたエントリであるか否か決定するステップと、
前記複数のマトリックスの２以上における決定されたマッチしたエントリの相対的な位置に少なくとも部分的に基づき、前記賭けコンポーネントに対する結果を決定するステップと、
を有する、請求項５４記載の装置。
【請求項５６】
前記賭けコンポーネントに対する結果を決定するステップは、前記賭けマトリックスが前記複数のマトリックスの２以上にわたるある方向に連続的に並ぶいくつかのマッチしたエントリを有する場合、前記賭けコンポーネントが当選した賭けコンポーネントであると決定することから構成される、請求項５５記載の装置。
【請求項５７】
命令セットを実行するよう動作可能なプロセッサと、
前記命令セットを格納したメモリと、
を有する装置であって、
前記命令セットは、前記プロセッサにより実行されると、
レースイベントの１以上のレース参加者を特定し、前記レースイベント内の１以上の中間ポイントにおける前記１以上のレース参加者のポジションに関する賭けから構成される賭けを受け付けるステップと、
前記１以上の中間ポイントにおける前記レース参加者の少なくとも１つのポジションを特定する中間レース結果を受け付けるステップと、
前記受け付けた中間レース結果に少なくとも部分的に基づき、前記賭けの結果を決定するステップと、
を有する方法を前記プロセッサに実行させる装置。
【請求項５８】
前記賭けの結果を決定するステップは、前記賭けが当選した賭けであるか否か決定することから構成され、
前記方法はさらに、前記賭けが当選した賭けであると決定した場合、前記賭けに対してパリミューチュアル払戻を決定するステップを有する、請求項５７記載の装置。
【請求項５９】
前記レースイベント内の１以上の中間ポイントにおける前記１以上のレース参加者のポジションに関する賭けから構成される賭けを受け付けるステップは、
複数のレース参加者を有するレースイベントの１以上のレース参加者の決定を受け付けるステップと、
前記レースイベント内の複数の中間ポイントの少なくとも１つに対して、複数の予想されるポジションから、前記中間ポイントにおけるレース参加者の１以上の予想されるポジションを決定するステップと、
各賭けコンポーネントが、少なくとも部分的に前記１以上のレース参加者と、前記中間ポイントの少なくとも１つに対して決定された前記レース参加者の１以上の予想されるポジションとにより規定される複数の賭けコンポーネントから構成される賭けを生成するステップと、
を有し、
前記中間レース結果を受け付けるステップは、前記複数の中間ポイントの少なくとも１つに対して、該中間ポイントにおける前記決定されたレース参加者の少なくとも１つの実際のポジションを特定する中間レース結果を受け付けることから構成され、
前記賭けの結果を決定するステップは、少なくとも１つの賭けコンポーネントに対して、前記１以上の決定されたレース参加者、前記中間ポイントの少なくとも１つに対して決定されたレース参加者の１以上の予想されるポジション、及び前記中間ポイントの少なくとも１つに対する受け付けた中間レース結果に少なくとも部分的に基づき、前記賭けコンポーネントに対する結果を決定することから構成される、請求項５７記載の装置。
【請求項６０】
前記賭けは係る賭け金を有し、
前記方法はさらに、前記賭けに係る複数の賭けコンポーネントに前記賭け金を割り当てることから構成される、請求項５７記載の装置。
【請求項６１】
前記複数の賭けコンポーネントに前記賭け金を割り当てるステップは、顧客から受け付けた入力に少なくとも部分的に基づく金額により前記複数の賭けコンポーネントに前記賭け金を割り当てることから構成される、請求項５９記載の装置。
【請求項６２】
前記レースイベントは、第１のトラック場において行われ、
前記賭けは係る賭け金を有し、
前記賭け金は、前記第１のトラック場と地理的に異なる賭けをする場所により維持されるパリミューチュアルプールに割り当てられる、請求項５７記載の装置。
【請求項６３】
前記賭けに係る１以上の賭けコンポーネントのそれぞれは、前記複数の中間ポイントの１つに対応し、
前記賭けコンポーネントに対する結果を決定するステップは、前記１以上の特定されたレース参加者が、対応する中間ポイントに対して決定された１以上の予想されるポジションに位置していたか否か決定することから構成される、請求項５７記載の装置。
【請求項６４】
前記１以上の特定されたレース参加者は、顧客の選択に基づき決定される、請求項５９記載の装置。
【請求項６５】
前記１以上の特定されたレース参加者は、ランダムに決定される、請求項５９記載の装置。
【請求項６６】
複数の他の賭けが、１以上の顧客から受付され、
前記複数の他の賭けのそれぞれは、前記複数のレース参加者のそれぞれが係る合計の賭け金を有するように、係る賭け金と前記複数のレース参加者の１以上の係るレース参加者とを有し、
前記賭けに対する１以上のレース参加者は、前記複数のレース参加者のそれぞれに係る前記他の賭けの個数と、前記複数のレース参加者のそれぞれに係る合計の賭け金との少なくとも１つに少なくとも部分的に基づき決定される、請求項５９記載の装置。
【請求項６７】
前記賭けに対する１以上のレース参加者は、前記賭けに対する潜在的な払戻が最大化されるように決定される、請求項６６記載の装置。
【請求項６８】
前記複数の中間ポイントの少なくとも１つに対するレース参加者の１以上の予想されるポジションの少なくとも１つは、ランダムに決定される、請求項５９記載の装置。
【請求項６９】
前記複数の中間ポイントの少なくとも１つに対するレース参加者の１以上の予想されるポジションの少なくとも１つは、顧客によって選択される、請求項５９記載の装置。
【請求項７０】
前記複数の中間ポイントの少なくとも１つに対するレース参加者の１以上の予想されるポジションの少なくとも１つは、賭け提供エンティティによって自動的に決定される、請求項５９記載の装置。
【請求項７１】
前記賭けを生成するステップは、賭けマトリックスを生成することから構成され、
前記賭けマトリックスの列の少なくとも１つが前記中間ポイントの１つに対応し、第１方向に延びる複数の列と第２方向に延びる複数の行とを有するマトリックスを提供するステップと、
前記賭けマトリックスの前記列の少なくとも１つのそれぞれに対して、該列に対応する中間ポイントに対して決定された１以上の予想されるポジションを特定する数により前記列を占有させるステップと、
を有し、
前記賭けに係る複数の賭けコンポーネントの少なくとも１つは、少なくとも部分的に前記１以上の特定されたレース参加者の少なくとも１つと、前記賭けマトリックスの１以上の列の中の数の配置との少なくとも１つによって規定される、請求項５７記載の装置。
【請求項７２】
前記賭けは、ジャックポット賭けコンポーネントから構成され、
前記ジャックポット賭けコンポーネントを含む複数の顧客に係る複数のジャックポット賭けコンポーネントが、前記レースイベントに係り、
各ジャックポット賭けコンポーネントは、ジャックポット賭け金に係り、
当該方法はさらに、
前記複数のジャックポット賭けコンポーネントの少なくとも１つが当選した賭けであるか否か決定するステップと、
前記複数のジャックポット賭けコンポーネントの何れも当選した賭けでないと決定されると、少なくとも１つの当選したジャックポット賭けコンポーネントが決定されるまで、前記複数のジャックポット賭けコンポーネントに係るジャックポット賭け金を１以上の以降のレースイベントにキャリーオーバーするステップと、
を有する、請求項５７記載の装置。
【請求項７３】
命令セットを実行するよう動作可能なプロセッサと、
前記命令セットを格納したメモリと、
を有する装置であって、
前記命令セットは、前記プロセッサにより実行されると、
複数のレース参加者を有するレースイベントの１以上のレース参加者の決定を受け付けるステップと、
前記レースイベント内の中間ポイントにおけるレース参加者の１以上の予想されるポジションを決定するステップと、
少なくとも部分的に前記１以上の決定されたレース参加者と、前記中間ポイントにおける前記レース参加者の１以上の決定された予想されるポジションとにより規定される賭けを生成するステップと、
前記中間ポイントにおける前記１以上のレース参加者の少なくとも１つの実際のポジションを特定する中間レース結果を受け付けるステップと、
前記レース参加者の１以上の決定された予想されるポジションと前記受け付けた中間レース結果とに少なくとも部分的に基づき、前記賭けの結果を決定するステップと、
を有する方法を前記プロセッサに実行させる装置。
【請求項７４】
前記賭けの結果を決定するステップは、前記賭けが当選した賭けであるか否か決定することから構成され、
前記方法はさらに、前記賭けが当選した賭けであると決定すると、前記賭けに対してパリミューチュアル払戻を決定するステップを有する、請求項７３記載の装置。
【請求項７５】
前記賭けの結果を決定するステップは、前記受け付けた中間レース結果に少なくとも部分的に基づき、前記１以上の決定されたレース参加者が、前記中間ポイントにおいて前記１以上の決定された予想されるポジションにより位置していたか否か決定することから構成される、請求項７３記載の装置。
【請求項７６】
前記レースイベントの１以上のレース参加者の決定を受け付けるステップは、前記レースイベントの１以上のレース参加者の選択を顧客から受け付けることから構成される、請求項７３記載の装置。
【請求項７７】
前記レースイベントの１以上のレース参加者の決定を受け付けるステップは、前記複数のレース参加者の１以上をランダムに決定することから構成される、請求項７３記載の装置。
【請求項７８】
複数の他の賭けが、１以上の顧客から受付され、
前記複数の他の賭けのそれぞれは、前記複数のレース参加者のそれぞれが係る合計の賭け金を有するように、係る賭け金と前記複数のレース参加者の１以上の係るレース参加者とを有し、
前記賭けに対する１以上のレース参加者は、前記複数のレース参加者のそれぞれに係る前記他の賭けの個数と、前記複数のレース参加者のそれぞれに係る合計の賭け金との少なくとも１つに少なくとも部分的に基づき決定される、請求項７５記載の装置。
【請求項７９】
前記賭けに対する１以上のレース参加者は、前記賭けに対する潜在的な払戻が最大化されるように決定される、請求項７８記載の装置。
【請求項８０】
前記レースイベントは、第１のトラック場において行われ、
前記賭けは係る賭け金を有し、
前記賭け金は、前記第１のトラック場と地理的に異なる賭けをする場所により維持されるパリミューチュアルプールに割り当てられる、請求項７３記載の装置。
【請求項８１】
前記中間ポイントにおける前記レース参加者の１以上の予想されるポジションの少なくとも１つは、ランダムに決定される、請求項７３記載の装置。
【請求項８２】
前記複数の中間ポイントの少なくとも１つに対するレース参加者の１以上の予想されるポジションの少なくとも１つは、顧客によって選択される、請求項７３記載の装置。
【請求項８３】
前記複数の中間ポイントの少なくとも１つに対するレース参加者の１以上の予想されるポジションの少なくとも１つは、賭け提供エンティティによって自動的に決定される、請求項７３記載の装置。
【請求項８４】
前記賭けを生成するステップは、賭けマトリックスを生成することから構成され、
前記賭けマトリックスの列の少なくとも１つが前記中間ポイントの１つに対応し、第１方向に延びる複数の列と第２方向に延びる複数の行とを有するマトリックスを提供するステップと、
前記賭けマトリックスの前記列の少なくとも１つのそれぞれに対して、該列に対応する中間ポイントに対して決定された１以上の予想されるポジションを特定する数により前記中間ポイントに対応する列を占有させるステップと、
を有し、
前記賭けは、少なくとも部分的に前記１以上の決定されたレース参加者と、前記賭けマトリックスの１以上の列の中の数の配置との少なくとも１つによって規定される、請求項７３記載の装置。
【請求項８５】
前記賭けコンポーネントに対する結果を決定するステップは、前記賭けマトリックスが該賭けマトリックスのある方向に連続的に並ぶいくつかのマッチしたエントリを有する場合、前記賭けコンポーネントが当選した賭けコンポーネントであると決定することから構成される、請求項８４記載の装置。
【請求項８６】
前記賭けは、ジャックポット賭けコンポーネントを有し、
前記ジャックポット賭けコンポーネントを含む複数の顧客に係る複数のジャックポット賭けコンポーネントが、前記レースイベントに係り、
各ジャックポット賭けコンポーネントは、ジャックポット賭け金に係り、
当該方法はさらに、
前記複数のジャックポット賭けコンポーネントの少なくとも１つが、当選した賭けであるか否か決定するステップと、
前記複数のジャックポット賭けコンポーネントの何れも当選した賭けでないと決定されると、少なくとも１つのジャックポット賭けコンポーネントが決定されるまで、前記複数のジャックポット賭けコンポーネントに係るジャックポット賭け金を１以上の以降のレースイベントにキャリーオーバーするステップと、
を有する、請求項７３記載の装置。
【請求項８７】
命令セットを実行するよう動作可能なプロセッサと、
前記命令セットを格納したメモリと、
を有する装置であって、
前記命令セットは、前記プロセッサにより実行されると、
複数のレース参加者を有するレースイベントにおいて中間ポイントにおけるレース参加者の１以上の予想される位置を規定する賭けを受け付けるステップと、
前記中間ポイントにおける前記複数のレース参加者の実際の位置を特定する中間レース結果を受け付けるステップと、
前記賭けにより規定される１以上の予想される位置と前記中間ポイントにおける前記複数のレース参加者の実際の位置とに少なくも部分的に基づき、前記賭けの結果を決定するステップと、
を有する方法を前記プロセッサに実行させる装置。
【請求項８８】
前記賭けは、前記レースイベントにおける第２の中間ポイントにおけるレース参加者の１以上の予想される位置に少なくとも部分的に基づき、前記賭けの結果を規定し、
前記方法はさらに、前記第２の中間ポイントにおける前記複数のレース参加者の実際の位置を特定する中間レース結果を受け付けるステップを有し、
前記結果を決定するステップは、前記第２の中間ポイントにおける前記複数のレース参加者の実際の位置に少なくとも部分的に基づき、前記結果を決定することを含む、請求項８７記載の装置。
【請求項８９】
前記結果は、払戻の決定と、前記賭けが当選した賭けであるかの決定との少なくとも１つを含む、請求項８７記載の装置。
【請求項９０】
前記賭けは、パリミューチュアル賭けである、請求項８７記載の装置。
【請求項９１】
前記レース参加者は、少なくとも３つのレース参加者に関するレースイベントにおける少なくとも２つのレース参加者を含む、請求項８７記載の装置。
【請求項９２】
前記方法はさらに、前記結果を提供するステップを有する、請求項８７記載の装置。
【請求項９３】
前記賭けは、前記レースイベントのゴールポイントにおけるレース参加者の１以上の予想される位置を規定し、
前記方法はさらに、前記ゴールポイントにおける前記複数のレース参加者の実際の位置を特定するレース結果を受け付けるステップを有し、
前記結果を決定するステップは、前記ゴールポイントにおける前記複数のレース参加者の実際の位置に少なくとも部分的に基づき、前記結果を決定することを含む、請求項８７記載の装置。